(57)【要約】【課題】生体に向けて照射された光の透過光を外部に漏らさずすべて受光できる生体内成分測定装置を実現する。【解決手段】光源手段から生体に照射された光を受光する受光手段と、この受光手段からの信号を分析して前記生体の成分を解析するデータ解析手段とを具備する生体内成分測定装置において、前記生体が開口部より挿入されるキャップと、前記キャップに前記生体に接して設けられ前記生体に光を照射する光源手段と、前記キャップに前記生体に接して設けられ前記光源手段から照射された光が前記生体を透過した透過光を受光する受光手段とを具備したことを特徴とする生体内成分測定装置である。【選択図】図１
2010266428.tif 000002
【特許請求の範囲】
【請求項１】
光源手段から生体に照射された光を受光する受光手段と、この受光手段からの信号を分析して前記生体の成分を解析するデータ解析手段とを具備する生体内成分測定装置において、
前記生体が開口部より挿入されるキャップと、
前記キャップに前記生体に接して設けられ前記生体に光を照射する光源手段と、
前記キャップに前記生体に接して設けられ前記光源手段から照射された光が前記生体を透過した透過光を受光する受光手段と
を具備したことを特徴とする生体内成分測定装置。
【請求項２】
光源手段から生体に照射された光を受光する受光手段と、この受光手段からの信号を分析して前記生体の成分を解析するデータ解析手段とを具備する生体内成分測定装置において、
前記生体の周面を覆い前記生体を挟持するペッグと、
前記ペッグに前記生体に接して設けられ前記生体に光を照射する光源手段と、
前記ペッグに前記生体に接して設けられ前記光源手段から照射された光の前記生体を透過した透過光を受光する受光手段と
を具備したことを特徴とする生体内成分測定装置。
【請求項３】
前記光源手段は、レーザーダイオードが使用されたこと
を特徴とする請求項１又は請求項２記載の生体内成分測定装置。
【請求項４】
前記光源手段は、近赤外線レーザーが使用されたこと
を特徴とする請求項１又は請求項２記載の生体内成分測定装置。
【請求項５】
前記受光手段は、フォトダイオードが使用されたこと
を特徴とする請求項１又は請求項２記載の生体内成分測定装置。
【請求項６】
前記キャップあるいは前記ペッグの内面の前記光源手段と前記受光手段との間に設けられ前記光源手段からの光が前記受光手段に直接に入らないように前記直接の光を阻止する第１の阻止手段
を具備したことを特徴とする請求項１乃至請求項５の何れかに記載の生体内成分測定装置。
【請求項７】
前記キャップあるいは前記ペッグの開口部の内周面に設けられ前記光源手段からの光が前記開口部より外部に漏れるのを阻止する第２の阻止手段を
を具備したことを特徴とする請求項１乃至請求項６の何れかに記載の生体内成分測定装置。
【請求項８】
前記第１の阻止手段あるいは前記第２の阻止手段は、前記内面に設けられた突起が使用されたこと
を特徴とする請求項６又は請求項７の何れかに記載の生体内成分測定装置。
【請求項９】
前記光源手段としてその出力光をモニタする受光素子が内蔵されたものを用い、この受光素子の検出信号に基づき前記光源手段の出力光強度を所定の値に維持するように駆動する光源手段駆動回路を設けたことを特徴とする請求項１から請求項８のいずれかに記載の生体内成分測定装置。
【発明の詳細な説明】
【技術分野】
【０００１】
本発明は、生体内成分測定装置に関するものである。
更に詳述すれば、人体の血管中の血液や組織中の組織液に含まれる各種物質を非侵襲で測定する生体内成分測定装置の検出端に関するものである。
【背景技術】
【０００２】
従来から、血液中の血糖値等の成分の濃度等を測定する場合には、注射器で人体から血液を採取したり、指先や耳たぶを穿刺したりして、血液を実際に採取して行われることが多い。それに対して、近年、このように生体を侵襲して血液を採取せずに、生体に光を照射してその生体による反射光や生体を透過した光を検出して光が生体により吸収された度合（吸光度）に基づいて目的の成分の濃度等を測定する手法が提案されている（特許文献１〜５および非特許文献１参照）。
【０００３】
特に、非特許文献１に記載の手法では、図９に示すように、人体の表皮組織ａ１、真皮組織ａ２、皮下組織ａ３からなる皮膚組織において、表皮組織ａ１では毛細血管があまり発達しておらず、皮下組織ａ３は主に脂肪組織で構成されているのに対して、表皮組織ａ１と皮下組織ａ３との間の真皮組織ａ２では組織内に毛細血管が発達しており、グルコース（glucose）が高い浸透性を有しており血管中から組織内に浸透することから、真皮組織ａ２内のグルコース濃度が血液中の血糖値と相関があると推定する。
【０００４】
そして、その推定の下に、入射用光ファイバＦinと検出用光ファイバＦdetからなるプローブＰを皮膚に当接させ、入射用光ファイバＦinから近赤外光Ｒを照射して真皮組織ａ２内を透過させて検出用光ファイバＦdetで検出し、その吸光度から真皮組織ａ２中のグルコース濃度を測定して、その測定結果に基づいて血液中の血糖値を予測する近赤外分光分析法が提案されている。
【先行技術文献】
【特許文献】
【０００５】
【特許文献１】特開平１０−１０９号公報
【特許文献２】特開平１０−１５５７７５号公報
【特許文献３】特開平１０−２１６１１２号公報
【特許文献４】特開平１０−３２５７９４号公報
【特許文献５】特開平１１−１５５８４０号公報
【非特許文献１】丸尾勝彦、外８名，「光学的血糖値測定システムの開発状況」，医科器械学，日本医科器械学会，２００３年８月，第７３巻，第８号，ｐ．４０６−４１４
【発明の概要】
【発明が解決しようとする課題】
【０００６】
このような装置においては、以下の問題点がある。
入射用光、検出用光は外部に漏れる恐れがあり測定精度を保証できない。
【０００７】
本発明の目的は、上記の課題を解決するもので、生体に向けて照射された光の透過光を外部に漏らさずすべて受光できる生体内成分測定装置を提供することにある。
【課題を解決するための手段】
【０００８】
このような課題を達成するために、本発明では、請求項１の生体内成分測定装置においては、
光源手段から生体に照射された光を受光する受光手段と、この受光手段からの信号を分析して前記生体の成分を解析するデータ解析手段とを具備する生体内成分測定装置において、前記生体が開口部より挿入されるキャップと、前記キャップに前記生体に接して設けられ前記生体に光を照射する光源手段と、前記キャップに前記生体に接して設けられ前記光源手段から照射された光が前記生体を透過した透過光を受光する受光手段とを具備したことを特徴とする。
【０００９】
本発明の請求項２の生体内成分測定装置においては、請求項１記載の生体内成分測定装置において、
光源手段から生体に照射された光を受光する受光手段と、この受光手段からの信号を分析して前記生体の成分を解析するデータ解析手段とを具備する生体内成分測定装置において、前記生体の周面を覆い前記生体を挟持するペッグと、前記ペッグに前記生体に接して設けられ前記生体に光を照射する光源手段と、前記ペッグに前記生体に接して設けられ前記光源手段から照射された光の前記生体を透過した透過光を受光する受光手段とを具備したことを特徴とする。
【００１０】
本発明の請求項３の生体内成分測定装置においては、請求項１又は請求項２記載の生体内成分測定装置において、
前記光源手段は、レーザーダイオードが使用されたことを特徴とする。
【００１１】
本発明の請求項４の生体内成分測定装置においては、請求項１乃至請求項２の何れかに記載の生体内成分測定装置において、
前記光源手段は、近赤外線レーザーが使用されたことを特徴とする。
【００１２】
本発明の請求項５の生体内成分測定装置においては、請求項１又は請求項２記載の生体内成分測定装置において、
前記受光手段は、フォトダイオードが使用されたことを特徴とする。
【００１３】
本発明の請求項６の生体内成分測定装置においては、請求項１乃至請求項５の何れかに記載の生体内成分測定装置において、
前記キャップあるいは前記ペッグの内面の前記光源手段と前記受光手段との間に設けられ前記光源手段からの光が前記受光手段に直接に入らないように前記直接の光を阻止する第１の阻止手段を具備したことを特徴とする。
【００１４】
本発明の請求項７の生体内成分測定装置においては、請求項１乃至請求項６の何れかに記載の生体内成分測定装置において、
前記キャップあるいは前記ペッグの開口部の内周面に設けられ前記光源手段からの光が前記開口部より外部に漏れるのを阻止する第２の阻止手段をを具備したことを特徴とする。
【００１５】
本発明の請求項８の生体内成分測定装置においては、請求項１乃至請求項７の何れかに記載の生体内成分測定装置において、
前記第１の阻止手段あるいは前記第２の阻止手段は、前記内面に設けられた突起が使用されたことを特徴とする。
【００１６】
本発明の請求項９の生体内成分測定装置においては、請求項１から請求項８のいずれかに記載の生体内成分測定装置において、
前記光源手段としてその出力光をモニタする受光素子が内蔵されたものを用い、この受光素子の検出信号に基づき前記光源手段の出力光強度を所定の値に維持するように駆動する光源手段駆動回路を設けたことを特徴とする。
【発明の効果】
【００１７】
本発明によれば、次のような効果がある。
生体に向けて照射された光の透過光を外部に漏らさずすべて受光でき、測定精度が向上された生体内成分測定装置が得られる。
【図面の簡単な説明】
【００１８】
【図１】本発明の一実施例の要部構成説明図である。
【図２】図１のＡ-Ａ断面図である。
【図３】本発明の他の実施例の要部構成説明図である。
【図４】本発明の他の実施例の要部構成説明図である。
【図５】本発明の他の実施例の要部構成説明図である。
【図６】図５のＢ-Ｂ断面図である。
【図７】本発明の他の実施例の要部構成説明図である。
【図８】本発明の他の実施例の要部構成説明図である。
【図９】従来より一般に使用されている従来例の要部構成説明図である。
【発明を実施するための形態】
【００１９】
以下本発明を図面を用いて詳細に説明する。
図１は本発明の一実施例の要部構成説明図、図２は図１のＡ-Ａ断面図である。
図において、図９と同一記号の構成は同一機能を表す。
以下、図９との相違部分のみ説明する。
【００２０】
図において、キャップ１には、生体２が開口部３より挿入される。
この場合は、生体２は指の例を示す。
光源手段４は、キャップ１に生体２に接して設けられ、生体２に光を照射する。
この場合は、光源手段４は、例えば、波長可変レーザーダイオード、固定波長レーザーダイオード、近赤外線レーザーダイオードあるいはＬＥＤが使用されている。
【００２１】
受光手段５は、キャップ１に生体２に接して設けられ、光源手段４から照射された光が、生体２を透過した透過光を受光する。
この場合は、受光手段５は、フォトダイオードが使用されている。
キャップ１の一方の周面には、光源手段４が１個または複数個設置されている。
光源手段４と受光手段５は生体２をはさんで反対の位置に設置されている。
【００２２】
なお、光源手段４と受光手段５の位置関係は、図１に示す、生体２をはさんで対称の位置だけではなく、図１のキャップ１の断面中心軸Ａ１を中心に９０度や他の角度の相対位置関係で設置されても良い。
なお、キャップ１の他方の周面には、受光手段５が１個または複数個設置されている。
【００２３】
第２の阻止手段６は、キャップ１の開口部３の内面に設けられ、光源手段４からの光が開口部３より外部に漏れるのを阻止する。
この場合は、第２の阻止手段６は、キャップ１の開口部３の内面に設けられた突起が使用されている。
【００２４】
以上の構成において、測定時には、キャップ１内に指２を差し込む。
光源手段４から出射された光は生体２内を通過し、受光手段５に到達し、生体内成分量の情報を含む信号が得られる。
【００２５】
この結果、生体２に向けて照射された光の透過光を外部に漏らさずすべて受光でき、測定精度が向上された生体内成分測定装置が得られる。
【００２６】
図３は、本発明の他の実施例の要部構成説明図である。
図３においては、キャップ１の内面の、光源手段４と受光手段５との間に設けられ、光源手段４からの光が受光手段５に直接に入らないように、直接の光を阻止する第１の阻止手段１１が設けられた生体内成分測定装置である。
この場合は、第１の阻止手段１１は、キャップ１の内面に設けられた突起が使用されている。
【００２７】
この結果、直接の光を阻止する第１の阻止手段１１が設けられたので、更に、測定精度が向上された生体内成分測定装置が得られる。
【００２８】
図４は、本発明の他の実施例の要部構成説明図である。
図４において、生体２として、耳たぶが使用された生体内成分測定装置である。
この結果、指が生体２として使用できない場合に便利な生体内成分測定装置が得られる。
【００２９】
図５は、本発明の他の実施例の要部構成説明図、図６は図５のＢ-Ｂ断面図である。
である。
図において、ペッグ２１は生体２の周面を覆い、生体２を挟持する。
生体２は、開口部２２より挿入される。
この場合は、生体２は指の例を示す。
光源手段４は、ペッグ２１に生体２に接して設けられ、生体２に光を照射する。
【００３０】
この場合は、光源手段４は、例えば、波長可変レーザーダイオード、固定波長レーザーダイオード、近赤外線レーザーダイオードあるいはＬＥＤが使用されている。
受光手段５は、ペッグ２１に生体２に接して設けられ、光源手段４から照射された光が、生体２を透過した透過光を受光する。
この場合は、受光手段５は、フォトダイオードが使用されている。
【００３１】
ペッグ２１の一方の周面には、光源手段４が１個または複数個設置されている。
光源手段４と受光手段５は生体２をはさんで反対の位置に設置されている。
なお、光源手段４と受光手段５の位置関係は、図６に示す如く、生体２をはさんで対称の位置だけではなく、ペッグ２１の断面中心軸Ｂ１を中心に９０度や他の角度の相対位置関係で設置されても良い。
【００３２】
なお、ペッグ２１の他方の周面には、受光手段５が１個または複数個設置されている。
第１の阻止手段２３は、ペッグ２１の内面の光源手段４と受光手段５との間に設けられ、光源手段４からの光が受光手段５に直接に入らないように直接の光を阻止する。
【００３３】
第２の阻止手段２４は、ペッグ２１の開口部２２の内周面に設けられ、光源手段４からの光が開口部２２より外部に漏れるのを阻止する。
この場合は、第１，第２の阻止手段２３，２４は、キャップ１の内面に設けられた突起が使用されている。
なお、２５は、ペッグ２１に設けられたヒンジである。
【００３４】
以上の構成において、測定時には、ペッグ２１内に指２を差し込む。
光源手段４から出射された光は生体２内を通過し、受光手段５に到達し、生体内成分量の情報を含む信号が得られる。
この結果、生体２に向けて照射された光の透過光を外部に漏らさずすべて受光でき、測定精度が向上された生体内成分測定装置が得られる。
【００３５】
図７は本発明の他の実施例の要部構成説明図であり、生体２が耳たぶの場合に使用された生体内成分測定装置である。
これにより、指が生体２として使用できない場合には耳たぶを使える生体内成分測定装置が得られる。
【００３６】
図８も本発明の他の実施例の要部構成説明図であり、図１〜図７の各実施例で用いることができる光源手段４の駆動系統の具体的なブロック図を示している。図８では、光源手段４として出力光をモニタする受光素子４１が内蔵されたものを用い、この受光素子４１の検出信号に基づき光源手段４の出力光強度を所定の値に維持するように駆動する光源手段駆動回路４２を設けている。
【００３７】
これにより、光源手段４の温度変化に起因する出力光強度変化を抑制でき、安定した成分測定結果が得られる。
【００３８】
なお、本発明装置は、人体の血管中血液や組織中の組織液に含まれる各種物質を定量する装置。
上記装置による非侵襲で血糖値の定量を行う測定。
上記装置による非侵襲で血糖値以外の血液成分、組織液成分の定量を行う測定。
上記装置による非侵襲で生体（人、動物、植物を問わない）内物質の定量を行う測定。
農産物、水産物、食品等の構造、組成の非破壊検査、および化学物質の定量。
有機材料の構造、組成の非破壊検査および化学物質の定量。
等に使用されて有用である。
【００３９】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００４０】
１      キャップ
２      生体
３      開口部
４      光源手段
４１  受光素子（出力光モニタ用）
４２  光源手段駆動回路
５      受光手段
６      第２の阻止手段
１１    第１の阻止手段
２１    ペッグ
２２    開口部
２３    第１の阻止手段
２４    第２の阻止手段
２５    ヒンジ
Ａ１    断面中心軸
Ｂ１    断面中心軸
【図１】
2010266428.tif 000003
【図２】
2010266428.tif 000004
【図３】
2010266428.tif 000005
【図４】
2010266428.tif 000006
【図５】
2010266428.tif 000007
【図６】
2010266428.tif 000008
【図７】
2010266428.tif 000009
【図８】
2010266428.tif 000010
【図９】
2010266428.tif 000011